(57)【特許請求の範囲】
【請求項１】
用紙を収容する第１給紙カセットと、
用紙を収容する第２給紙カセットと、
第１給紙カセットのセンサーであって対応する前記第１給紙カセット内の用紙を検知するセンサーと、
前記第１給紙カセット及び前記第２給紙カセットを含む給紙カセットのいずれかから供給される用紙へ印刷を実行する印刷部と、を備え、
前記第２給紙カセットから供給される用紙は、前記第１給紙カセットに形成された搬送路を通過して前記印刷部側へ搬送される印刷装置であって、
所定の表示部による表示を制御する制御部を備え、
前記制御部は、前記表示に関して第１設定をしたとき、前記センサーによる前記用紙を検知できないことを示す異常信号に応じて異常の通知を前記表示部に表示させた上で、前記第２給紙カセットに収容された用紙に対する印刷を前記印刷部に実行させ、前記表示に関して第２設定をしたとき、前記異常信号に応じて異常の通知を前記表示部に表示させた上で、異常解除のための所定操作が行われるまで、前記第２給紙カセットに収容された用紙に対する印刷を前記印刷部に実行させない、ことを特徴とする印刷装置。
【請求項２】
印刷ジョブの受領後の前記異常の通知の表示に応じて前記所定操作が実行された後は、前記制御部は、当該印刷ジョブに基づく印刷処理が終了するまでの間、前記異常信号にかかわらず前記第２給紙カセットに収容された用紙に対する印刷を前記印刷部に実行させることを特徴とする請求項１に記載の印刷装置。
【請求項３】
前記制御部は、前記第１設定または第２設定をしたとき、印刷ジョブに基づく印刷処理の開始後に前記異常信号が発生した場合は、当該印刷ジョブに基づく印刷処理が終了した後に前記異常の通知を表示させることを特徴とする請求項１または請求項２に記載の印刷装置。
【請求項４】
前記制御部は、前記第２設定をしたとき、印刷ジョブに基づく印刷処理の開始後に前記異常信号が発生した場合は、前記異常信号にかかわらず前記第２給紙カセットに収容された用紙に対する印刷を前記印刷部に実行させることを特徴とする請求項１〜請求項３のいずれかに記載の印刷装置。
【請求項５】
前記制御部は、前記第２設定をしたとき、印刷ジョブを受領した場合に、前記印刷部が動作可能な状態であるか否か判断し、前記印刷部が動作可能な状態であれば、当該受領した印刷ジョブに基づく印刷処理が終了するまでの間、前記異常信号にかかわらず前記第２給紙カセットに収容された用紙に対する印刷を前記印刷部に実行させることを特徴とする請求項１〜請求項４のいずれかに記載の印刷装置。
【請求項６】
用紙を収容する第１給紙カセットと、
用紙を収容する第２給紙カセットと、
第１給紙カセットのセンサーであって対応する前記第１給紙カセット内の用紙を検知するセンサーと、
前記第１給紙カセット及び前記第２給紙カセットを含む給紙カセットのいずれかから供給される用紙へ印刷を実行する印刷部と、を備え、
前記第２給紙カセットから供給される用紙は、前記第１給紙カセットに形成された搬送路を通過して前記印刷部側へ搬送される印刷装置が行う表示制御方法であって、
外部からの指示に応じて所定の表示部による表示に関する設定を行う設定工程と、
前記センサーによる用紙の検知結果を取得する取得工程と、
前記設定工程で前記表示に関して第１設定がされたとき、前記検知結果としての前記用紙を検知できないことを示す異常信号に応じて異常の通知を前記表示部に表示させた上で、前記第２給紙カセットに収容された用紙に対する印刷を前記印刷部に実行させ、前記設定工程で前記表示に関して第２設定がされたとき、前記異常信号に応じて異常の通知を前記表示部に表示させた上で、異常解除のための所定操作が行われるまで、前記第２給紙カセットに収容された用紙に対する印刷を前記印刷部に実行させない表示制御工程と、を備えることを特徴とする表示制御方法。
【発明の詳細な説明】
【技術分野】
【０００１】
本発明は、印刷装置および表示制御方法に関する。
【背景技術】
【０００２】
用紙を収容する複数の給紙カセットを有し、複数の給紙カセットのいずれかから供給される用紙へ印刷を実行するプリンターが知られている。
【０００３】
また、上下に複数の給紙カセットを装着可能で、各給紙カセットは本体から脱抜して用紙補給を行うものであり、給紙カセットを上段側の所定位置に装着することで給紙カセットに設けた用紙搬送経路が下段側に装着した給紙カセットから給紙される用紙の搬送経路の一部となる給紙装置が知られている（特許文献１参照）。
また、装置本体と、複数の記録媒体を収容することが可能であり且つ前記装置本体に着脱可能な一以上の増設供給ユニットとを備えた画像記録装置が知られている（特許文献２参照）。
【先行技術文献】
【特許文献】
【０００４】
【特許文献１】特許第３５３８３２７号
【特許文献２】特開２０１４‐１９６１５５号公報
【発明の概要】
【発明が解決しようとする課題】
【０００５】
プリンターは、給紙カセット内の用紙を検知するセンサーを有している。当該センサーによって、検知結果として用紙の有りまたは無しがプリンターの制御部に通知される。ここで、ある給紙カセットに対応してセンサーが用紙無しと検知した場合であっても、当該給紙カセットの状態は常に同じではない。つまり、当該給紙カセット内に用紙が無いために用紙無しと検知されることもあれば、当該給紙カセットが無い（プリンターにおける所定の装着部から給紙カセットが引き出されている）ために用紙無しと検知される場合もある。
【０００６】
プリンターは、一つの給紙カセットに用紙が無い場合でも、他の給紙カセットから用紙を搬送することで印刷を実行できる。一方、一つの給紙カセットが無い場合は、当該給紙カセットが一部分を担っていた用紙の搬送経路が断たれることで、他の給紙カセットから用紙を搬送するときに紙詰まり（ペーパージャム）が発生する虞がある。このように、印刷可能な状況か、印刷不能な状況（紙詰まりが発生する虞がある）かを判別できない状態では、前記センサーが用紙無しと検知したことに応じてユーザーへ定型の通知をしたとしても、その通知がユーザーが期待する内容であるとは限らない。なお、給紙カセット内の用紙の有無と、給紙カセットの装着の有無をそれぞれ別のセンサーで検知することで、前記のような印刷可能な状況か印刷不能な状況（紙詰まりが発生する虞がある）かが判らないという問題は解決できるが、センサーが増える分、製品のコストが上がってしまう。
【０００７】
本発明は上述の課題に鑑みてなされたものであり、用紙が検知されないときに、ユーザーの要望に合った通知を行うことが可能な印刷装置および表示制御方法を提供する。
【課題を解決するための手段】
【０００８】
本発明の態様の１つは、用紙を収容する複数の給紙カセットと、前記給紙カセット毎のセンサーであって対応する給紙カセット内の用紙を検知するセンサーと、前記複数の給紙カセットのいずれかから供給される用紙へ印刷を実行する印刷部と、を備え、前記給紙カセットは、当該給紙カセットよりも前記印刷部から遠い側の給紙カセットから供給される用紙を前記印刷部側へ通過させる搬送路を有する印刷装置であって、所定の表示部による表示を制御する制御部を備え、前記制御部は、前記表示に関して第１設定をしたとき、前記センサーによる前記用紙を検知できないことを示す異常信号に応じて第１通知を前記表示部に表示させ、前記表示に関して第２設定をしたとき、前記異常信号に応じて第２通知を前記表示部に表示させる。
【０００９】
当該構成によれば、ユーザーは、印刷装置に第１設定をさせたり第２設定をさせたりすることができる。これにより、前記異常信号に応じて表示部に表示される通知を、自らが期待する態様にすることができる。
【００１０】
本発明の態様の１つは、前記制御部は、前記第１設定をしたとき、前記複数の給紙カセットのうち前記印刷部から最も遠い給紙カセットを除いた給紙カセットに対応する前記異常信号に応じて、所定の警告のための前記第１通知を表示させるとしてもよい。
当該構成によれば、第１通知により、給紙カセットに異常があることをユーザーに示唆する（警告する）ことができる。
【００１１】
本発明の態様の１つは、前記制御部は、前記第２設定をしたとき、前記複数の給紙カセットのうち前記用紙の供給元の給紙カセットよりも前記印刷部側の給紙カセットに対応する前記異常信号に応じて、異常解除のための所定操作を要求する前記第２通知を表示させるとしてもよい。
当該構成によれば、第２通知により、例えば紙詰まりが発生する可能性があるため所定操作をしなければ印刷できない旨を、ユーザーに認識させることができる。
【００１２】
本発明の態様の１つは、印刷ジョブの受領後の前記第２通知の表示に応じて前記所定操作が実行された後は、前記制御部は、当該印刷ジョブに基づく印刷処理が終了するまでの間の前記第２通知の再度の表示を禁止するとしてもよい。
当該構成によれば、紙詰まりが発生しないことが前記所定操作によって確認された後に、再び前記所定操作を求めてユーザーに手間を取らせる、といった事態を回避できる。
【００１３】
本発明の態様の１つは、前記制御部は、前記第１設定または第２設定をしたとき、印刷ジョブに基づく印刷処理の開始後に前記給紙カセットに対応する前記異常信号が発生した場合は、当該異常信号が対応する給紙カセットに関する前記第１通知を、当該印刷ジョブに基づく印刷処理が終了した後に表示させるとしてもよい。
当該構成によれば、印刷の開始後にある給紙カセットに対応する異常信号が発生した場合、つまり印刷により当該給紙カセットの用紙を使用し尽した場合には、別の給紙カセットからの用紙の搬送により印刷を継続できるため、印刷が終わるまで第１通知を行わないようにすることができる。
【００１４】
本発明の態様の１つは、前記制御部は、前記第２設定をしたとき、印刷ジョブに基づく印刷処理の開始後に前記給紙カセットに対応する前記異常信号が発生した場合は、当該異常信号が対応する給紙カセットに関しては前記第２通知の対象から除外するとしてもよい。
当該構成によれば、印刷の開始後にある給紙カセットに対応する異常信号が発生した場合、つまり印刷により当該給紙カセットの用紙を使用し尽した場合には、別の給紙カセットからの用紙の搬送により印刷を継続できるため、必要性の無い第２通知を行わないようにすることができる。
【００１５】
本発明の態様の１つは、前記制御部は、印刷ジョブに基づく印刷処理の開始後に全ての給紙カセットに対応して前記異常信号が発生した場合は第３通知を前記表示部に表示させるとしてもよい。
当該構成によれば、全ての給紙カセットが用紙が無い状態となった場合、第１通知および第２通知のいずれとも異なる第３通知を表示することができる。
【００１６】
本発明の態様の１つは、前記制御部は、前記第２設定をしたとき、印刷ジョブを受領した場合に、前記印刷部が動作可能な状態であるか否か判断し、前記印刷部が動作可能な状態であれば、当該受領した印刷ジョブに基づく印刷処理が終了するまでの間の前記第２通知の表示を禁止するとしてもよい。
当該構成によれば、印刷ジョブを受領したときに印刷部が動作可能な状態であれば、つまり前回の印刷ジョブの処理後、短い間隔で今回の印刷ジョブを受領したときは、紙詰まりが発生する可能性はほぼ無いと言えるため、必要性の無い第２通知を行わないようにすることができる。
【００１７】
本発明の技術的思想は、印刷装置という物以外によっても実現される。例えば、外部からの指示に応じて所定の表示部による表示に関する設定を行う設定工程と、複数の給紙カセット毎の用紙の検知結果を取得する取得工程と、前記設定工程で前記表示に関して第１設定がされたとき、前記検知結果としての前記用紙を検知できないことを示す異常信号に応じて第１通知を前記表示部に表示させ、前記設定工程で前記表示に関して第２設定がされたとき、前記異常信号に応じて第２通知を前記表示部に表示させる表示制御工程と、を備える表示制御方法を発明として捉えることができる。また、このような方法をコンピューターに実行させるプログラムの発明や、プログラムを記憶したコンピューター読み取り可能な記憶媒体も一つの発明として成り立つ。
【図面の簡単な説明】
【００１８】
【図１】印刷装置の一部の機能を示すブロック図。
【図２】給紙カセットを含む印刷装置の構成を概略的に示す図。
【図３】印刷ジョブ無し期間における表示制御処理を示すフローチャート。
【図４】印刷ジョブ有り期間における表示制御処理を示すフローチャート。
【図５】実施例１における印刷装置の状態遷移と第１、第２通知との関係を示す図。
【図６】実施例２における印刷装置の状態遷移と第１、第２通知との関係を示す図。
【図７】実施例３における印刷装置の状態遷移と第１、第２通知との関係を示す図。
【発明を実施するための形態】
【００１９】
以下、各図を参照しながら本発明の実施形態を説明する。なお各図は、本実施形態を説明するための例示に過ぎない。
１．装置の概略的説明：
図１は、本実施形態にかかる印刷装置１０の一部の機能をブロック図により示している。印刷装置１０は、例えば、プリンターや、プリンター、スキャナー、ファクシミリ等の複数の機能を含んだ複合機、等といった製品として把握される。図１では、印刷装置１０を、制御部１１、操作入力部１２、表示部１３、通信インターフェイス（Ｉ／Ｆ）１４、印刷部１５、搬送部１６、および複数の用紙センサー１７等を含む構成として例示している。
【００２０】
制御部１１は、例えば、ＣＰＵ、ＲＯＭ、ＲＡＭ等を有するＩＣや、その他の記憶媒体等により構成される。制御部１１では、ＣＰＵが、ＲＯＭ等に保存されたプログラムに従った演算処理を、ＲＡＭ等をワークエリアとして用いて実行することにより印刷装置１０の各構成の挙動を制御し、本実施形態にかかる表示制御方法や印刷方法等を実現する。
【００２１】
操作入力部１２は、ユーザーによる操作を受け付けるための各種ボタンやキー等を含む。表示部１３は、制御部１１による制御下で印刷装置１０に関する各種情報を表示するための部位であり、例えば、液晶ディスプレイ（ＬＣＤ）により構成される。操作入力部１２の一部は、表示部１３に表示されたタッチパネルとして実現されるとしてもよい。
【００２２】
印刷部１５は、制御部１１による制御下で、画像を印刷媒体（用紙）に印刷するための機構である。本実施形態では、印刷媒体が用紙であるとして説明を続けるが、紙以外の素材を印刷媒体として用いることを排除しない。印刷部１５が採用する印刷方式がインクジェット方式であれば、印刷部１５は、知られているようにインクを複数のノズルから用紙へ吐出する印刷ヘッド等を有する。また、印刷部１５が採用する印刷方式がレーザー方式であれば、印刷部１５は、知られているようにトナーを用紙へ転写するためのドラムユニット等を有する。印刷部１５をプリンターエンジン等と呼んでもよい。
【００２３】
搬送部１６は、用紙の供給元から印刷部１５へ、さらには印刷部１５から所定の排出口１６Ｅ（図２参照）へ用紙を搬送するための機構である。搬送部１６は、印刷装置１０に設けられた搬送路、当該搬送路に沿って用紙を搬送するためのローラー、当該ローラーを回転させるためのモーター、当該モーターの動力をローラーに伝えるギア輪列等を含んでいる。当該モーターの駆動は、制御部１１が制御する。つまり、搬送部１６による用紙の搬送は、制御部１１によって制御される。搬送部１６の一部は印刷部１５に含まれると解してもよい。後述するように、給紙カセットＣ（図２参照）の一部分は、搬送部１６の一部を担う。
【００２４】
通信Ｉ／Ｆ１４は、印刷装置１０を外部機器と有線あるいは無線にて接続するためのインターフェイスの総称である。外部機器としては、例えば、スマートフォン、タブレット型端末、デジタルスチルカメラ、パーソナルコンピューター（ＰＣ）等、印刷装置１０にとって印刷ジョブの入力元となる様々な機器が該当する。印刷ジョブは、印刷装置１０に印刷を実行させるための印刷命令であり、前記画像を表現する印刷データ等を含んでいる。印刷データは、例えば、画素毎のインクの吐出／非吐出（ドットオン／オフ）を規定したドットデータであったり、所定のページ記述言語（Page Description Language ）で記述されたデータであったりする。印刷装置１０は、通信Ｉ／Ｆ１４を介して外部機器と、例えば、ＵＳＢケーブル、有線ネットワーク、無線ＬＡＮ、電子メール通信等の様々な手段や通信規格により接続可能である。
【００２５】
図２は、給紙カセットＣを含む印刷装置１０の構成を概略的に示している。印刷装置１０は、本体筐体１８を有しており、本体筐体１８は、上述の制御部１１、操作入力部１２、表示部１３、通信Ｉ／Ｆ１４、印刷部１５、搬送路１６Ｒ（搬送部１６の一部）等を有している。さらに本体筐体１８の下部は、一つのカセット装着部１９である。カセット装着部１９は、給紙カセットＣを装着するための空間である。給紙カセットＣは、用紙（用紙Ｐ）を収容し、用紙の供給元となり得る。給紙カセットＣと当該給紙カセットＣを装着するカセット装着部１９とをまとめて、給紙ユニット２０と呼ぶ。また、給紙カセットＣを給紙トレイ等と呼んでもよい。ユーザーは、給紙カセットＣを、カセット装着部１９に装着したり、カセット装着部１９から外す（引き出す）ことができる。
【００２６】
図２の例では、本体筐体１８よりも下方に、さらに給紙カセットＣとカセット装着部１９とによる給紙ユニット２０が二つ重ねて設けられている。本体筐体１８よりも下方の給紙ユニット２０を、増設ユニットとも呼ぶ。ユーザーは、本体筐体１８に対して任意の数の増設ユニットを重ねて付け加えることができる。むろん、増設ユニットの数は、一つであってもよいし、二つより多くてもよい。以下では、各給紙ユニット２０を区別する際、印刷部１５に近い側の給紙ユニット２０から順に２１，２２，２３…という符号を付して説明する。また、給紙ユニット２１の給紙カセットＣを給紙カセットＣ１、給紙ユニット２２の給紙カセットＣを給紙カセットＣ２、給紙ユニット２３の給紙カセットＣを給紙カセットＣ３、とそれぞれ表記して区別する。
【００２７】
給紙ユニット２０は基本的に同じ構成であり、それぞれが用紙センサー１７や、ローラー３０や、搬送路３１等を備える。給紙ユニット２０は、上述のモーターが生み出す動力によりローラー３０を回転させることにより、給紙カセットＣ内の用紙を搬送路３１を介して印刷部１５側へ供給する。搬送路３１の少なくとも一部は給紙カセットＣに形成されており、複数の給紙ユニット２０が重ねて設置されたとき、各搬送路３１は連通し一つの搬送路となる。このような、給紙ユニット２０毎のローラー３０および搬送路３１は、搬送部１６の一部を構成する。
【００２８】
本実施形態では、給紙カセットＣや給紙ユニット２０の位置に関して、印刷部１５に近い側を上位と表現し、印刷部１５から遠い側を下位と表現する。従って、図２の例では、給紙カセットＣ１が最上位の給紙カセットＣであり、給紙カセットＣ３が最下位の給紙カセットＣである。図２の例では、最下位の給紙ユニット２３は、給紙カセットＣ３に収容した用紙を搬送路３１を介して上位の給紙ユニット２２へ供給する。給紙ユニット２２は、給紙カセットＣ２に収容した用紙または下位の給紙ユニット２３から供給された用紙を搬送路３１を介して上位の給紙ユニット２１へ供給する。最上位の給紙ユニット２１は、給紙カセットＣ１に収容した用紙または下位の給紙ユニット２２から供給された用紙を搬送路３１を介して印刷部１５側へ供給する。これにより、印刷装置１０では、印刷部１５が複数の給紙カセットＣ１，Ｃ２，Ｃ３のいずれかから供給される用紙へ印刷を実行することができる。図２では、破線の矢印により各搬送路３１を例示している。
【００２９】
用紙センサー１７は、給紙ユニット２０毎つまり給紙カセットＣ毎に設けられている。各用紙センサー１７は制御部１１と電気的に接続し、制御部１１は各用紙センサー１７による出力を取得する。用紙センサー１７は、対応する給紙カセットＣ内の用紙を検知することが可能である。検知方法は問わないが、用紙センサー１７は、例えば、給紙カセットＣ内に積層された一番上の用紙と接触することで用紙を検知することができる。以下では、カセット装着部１９に装着されており且つ用紙を有する給紙カセットＣの状態を、用紙有り状態とも称する。一方、カセット装着部１９に装着されている給紙カセットＣ内に用紙が無い状態（以下、用紙無し状態）では、用紙センサー１７は用紙との接触が無いため用紙を検知することができない。また、カセット装着部１９から給紙カセットＣが引き出されている状態（以下、カセット無し状態）であっても、用紙センサー１７は用紙との接触が無いため用紙を検知することができない。
【００３０】
以下では、用紙センサー１７が、対応する給紙カセットＣ内の用紙を検知したときに制御部１１へ出力する検知結果をオン信号と称する。また、用紙センサー１７が、対応する給紙カセットＣ内の用紙を検知できないとき（用紙無し状態またはカセット無し状態のいずれかであるとき）に制御部１１へ出力する検知結果をオフ信号と称する。オフ信号は、用紙を検知できないことを示す異常信号に該当する。用紙センサー１７は、用紙無し状態とカセット無し状態とを判別することはできない。以下では、給紙ユニット２１が有する（給紙カセットＣ１に対応する）用紙センサー１７を用紙センサー１７１とも表記する。同様に、給紙ユニット２２が有する（給紙カセットＣ２に対応する）用紙センサー１７を用紙センサー１７２、給紙ユニット２３が有する（給紙カセットＣ３に対応する）用紙センサー１７を用紙センサー１７３、とそれぞれ表記することがある。
【００３１】
２．表示に関する設定の説明：
ユーザーは、用紙センサー１７が用紙を検知できないときに表示部１３が行う表示（以下、特定表示）に関する設定を、任意に選択することができる。この選択は、操作入力部１２を操作することにより行う。つまり、制御部１１は、操作入力部１２に対する操作に従って前記設定の選択を受け付ける。本実施形態では、制御部１１は、前記設定に関して第１設定、第２設定および第３設定の中からいずれかの選択を受け付け、当該選択にかかる設定をする（以後の表示部１３による特定表示に当該設定を適用する）。ユーザーは、このような設定の選択を、任意のタイミングで変更することも可能である。このように制御部１１がユーザーの操作に従って特定表示に関する設定を行う処理は、外部からの指示に応じて表示部１３による表示に関する設定を行う設定工程、に該当する。
【００３２】
制御部１１は、特定表示に関して第１設定をしたときは、用紙センサー１７によるオフ信号に応じて第１通知を表示部１３に表示させ、特定表示に関して第２設定をしたときは、前記オフ信号に応じて第２通知を表示部１３に表示させる（表示制御工程）。第１通知とは、ユーザーに対する所定の警告である。ユーザーは、表示部１３に表示された第１通知を見ることで、異常がある給紙カセットＣの存在を認識する。ここで言う“異常”とは、用紙無し状態あるいはカセット無し状態を指す。一方、第２通知とは、ユーザーに対する警告であると同時に、異常解除のための所定操作（以下、解除操作）を直接的あるいは間接的に要求する通知である。ユーザーは、表示部１３に表示された第２通知を見ることで、異常がある給紙カセットＣの存在を認識し、かつ、解除操作をしなければ印刷処理が行われないことを認識する。また、制御部１１は、特定表示に関して第３設定をしたときは、用紙センサー１７によるオフ信号を得ても表示部１３に第１通知も第２通知も表示させない。
【００３３】
なお制御部１１は、特定表示に関して第１設定をしたとき、用紙センサー１７によるオフ信号に応じて、第１通知を印刷ジョブ有り期間および印刷ジョブ無し期間のいずれにも表示部１３に表示させ得る。印刷ジョブ有り期間とは、印刷装置１０が通信Ｉ／Ｆ１４等を通じて印刷ジョブを受領してから当該印刷ジョブに基づく印刷処理を終了するまでの期間である。印刷ジョブ無し期間とは、印刷ジョブ有り期間以外の期間（ただし印刷装置１０の電源が切れている期間を除く。）である。一方、特定表示に関して第２設定をしたときは、制御部１１は、用紙センサー１７によるオフ信号に応じて、第１通知を印刷ジョブ無し期間に表示部１３に表示させ、第２通知を印刷ジョブ有り期間に表示部１３に表示させ得る。以下では、このような特定表示を表示部１３に実行させるための表示制御処理（表示制御方法）について詳しく説明する。
【００３４】
３．表示制御処理の説明：
図３は、印刷ジョブ無し期間における表示制御処理をフローチャートにより示している。
印刷ジョブ無し期間において、制御部１１は、印刷ジョブを受領したか否かを繰り返し判定する（ステップＳ１００）。そして、印刷ジョブを受領したと判定した場合（ステップＳ１００において“Ｙｅｓ”）は印刷ジョブ有り期間へ遷移することになるため、当該フローチャート（図３）を終える。一方、印刷ジョブを受領していないと判定した場合（ステップＳ１００において“Ｎｏ”）、ステップＳ１１０へ進む。
【００３５】
ステップＳ１１０では、制御部１１は、現在の特定表示に関する設定が第１設定または第２設定であるか否か判定し、現在の当該設定が第１設定または第２設定であれば（ステップＳ１１０において“Ｙｅｓ”）、ステップＳ１２０へ進む。一方、現在の当該設定が第１設定、第２設定のいずれでもない場合、言い換えると第３設定である場合（ステップＳ１１０において“Ｎｏ”）、ステップＳ１００の判定に戻る。
【００３６】
ステップＳ１２０では、制御部１１は、上位側の給紙カセットＣに対応する用紙センサー１７による検知結果が全てオン信号であるか否か判定し、全てオン信号であれば（ステップＳ１２０において“Ｙｅｓ”）、ステップＳ１００の判定に戻る。ここで言う上位側の給紙カセットＣとは、図２の例においては、最下位の給紙カセットＣ３を除いた上位側の給紙カセットＣ１，Ｃ２が該当する。制御部１１は、給紙カセットＣ１に対応する用紙センサー１７１および給紙カセットＣ２に対応する用紙センサー１７２のいずれからもオン信号が出力されている場合に、ステップＳ１２０からステップＳ１００へ戻る。一方、このような上位側の給紙カセットＣに対応する用紙センサー１７による検知結果の一つ以上がオフ信号であれば、ステップＳ１２０において“Ｎｏ”の判定によりステップＳ１３０へ進む。つまり制御部１１は、給紙カセットＣ１に対応する用紙センサー１７１および給紙カセットＣ２に対応する用紙センサー１７２の少なくとも一方からオフ信号が出力されている場合に、ステップＳ１２０からステップＳ１３０へ進む。
【００３７】
ステップＳ１３０では、制御部１１は、第１通知を表示部１３に表示させる。制御部１１は、例えば第１通知として、“Ｐａｐｅｒ  Ｏｕｔ  Ｘ”や“カセットに用紙がありません  Ｘ”等といったメッセージを表示部１３に表示させる。これらメッセージのＸには、オフ信号が得られた給紙カセットＣの名称が入る。例えば、ステップＳ１２０において、給紙カセットＣ１，Ｃ２に対応する用紙センサー１７１，１７２のうち用紙センサー１７１からオフ信号が得られた場合には“Ｐａｐｅｒ  Ｏｕｔ  Ｃ１”等といったメッセージをステップＳ１３０で表示させる。また、これら用紙センサー１７１，１７２のうち用紙センサー１７２からオフ信号が得られた場合には“Ｐａｐｅｒ  Ｏｕｔ  Ｃ２”等といったメッセージを、用紙センサー１７１，１７２の両方からオフ信号が得られた場合には“Ｐａｐｅｒ  Ｏｕｔ  Ｃ１，Ｃ２”等といったメッセージを、ステップＳ１３０で表示させる。
【００３８】
このような第１通知を見ることで、ユーザーは、どの給紙カセットＣにおいて前記異常が発生しているのかを認識する。
制御部１１は、ステップＳ１３０の後、ステップＳ１００の判定に戻る。ステップＳ１３０で第１通知を表示部１３に表示させた後は、制御部１１は、第１通知を消去するための操作（以下、消去操作）が行われるまで第１通知を表示部１３に表示させる。
【００３９】
第１通知の消去操作とは、例えば、第１通知によって異常を指摘された給紙カセットＣにユーザーが用紙を補給して当該給紙カセットＣをカセット装着部１９へ装着する行為である。この行為の結果、制御部１１はステップＳ１２０において“Ｙｅｓ”と判定し、それまで表示部１３に表示させていた第１通知を表示部１３に消去させる。また、ユーザーは、操作入力部１２に対して所定の指示（警告表示をクリアする旨の指示）を入力することにより消去操作をすることができる。制御部１１は、このような入力を操作入力部１２を介して受け付けた場合にも、それまで表示部１３に表示させていた第１通知を表示部１３に消去させる。また、ユーザーが操作入力部１２を操作して前記第３設定を選択した場合、制御部１１はステップＳ１１０において“Ｎｏ”と判定し、それまで表示部１３に表示させていた第１通知を表示部１３に消去させる。
【００４０】
図４は、印刷ジョブ有り期間における表示制御処理をフローチャートにより示している。当該フローチャートは、制御部１１が印刷ジョブの受領を認識したことを契機として開始される。
ステップＳ２００では、制御部１１は、前記受領した印刷ジョブが用紙の供給元の自動選択を指示しているか否か判定し、自動選択を指示していればステップＳ２１０へ進む。印刷ジョブは、前記印刷データの他にも、印刷設定（例えば、カラー又はモノクロ印刷、紙面への割り付け、両面または片面印刷、等といった各種設定）や用紙の供給元に関する指示等の各種情報を含んでいる。用紙の供給元に関する指示には、自動選択と、一つの給紙カセットＣを供給元として予め特定する特定指示とがある。そこで制御部１１は、印刷ジョブによる用紙の供給元に関する指示が自動選択であればステップＳ２１０へ進み、特定指示であればステップＳ２１０をスキップしてステップＳ２２０へ進む。
【００４１】
ステップＳ２１０では、制御部１１は、予め定めた自動選択のポリシーに基づいて、用紙の供給元とする給紙カセットＣを選択する。本実施形態では、当該ポリシーとして、上位の給紙カセットＣを優先して供給元とする上位優先ポリシーを採用する。そこで制御部１１は、上位優先ポリシーに従い、用紙の供給元として先ずは最上位の給紙カセットＣ１を選択する。ただし、制御部１１は、ステップＳ２１０の時点で優先度がより高い給紙カセットＣに対応する用紙センサー１７からオフ信号を得ている場合には、その次に優先度が高い給紙カセットＣを用紙の供給元として選択する。
【００４２】
次に、ステップＳ２２０では、制御部１１は、現在の特定表示に関する設定が第１設定第２設定、第３設定のいずれであるかに応じて処理を分岐する。ここでは、現在の当該設定が、第１設定であればステップＳ２３０へ進み、第２設定であればステップＳ２５０へ進み、第３設定であればステップＳ２８０へ進む。
【００４３】
ステップＳ２３０では、制御部１１は、上位側の給紙カセットＣ（最下位の給紙カセットＣ３を除いた上位側の給紙カセットＣ１，Ｃ２）に対応する用紙センサー１７による検知結果が全てオン信号であるか否か判定し、全てオン信号であれば（ステップＳ２３０において“Ｙｅｓ”）、ステップＳ２４０をスキップしてステップＳ２８０へ進む。一方、このような上位側の給紙カセットＣに対応する用紙センサー１７による検知結果の一つ以上がオフ信号であれば、ステップＳ２３０において“Ｎｏ”の判定によりステップＳ２４０へ進む。ステップＳ２３０における判定方法は、ステップＳ１２０（図３）における判定方法と同じである。ステップＳ２３０や後述のステップＳ２５０は、給紙カセットＣ毎の用紙の検知結果を取得する取得工程の一例に該当する。
【００４４】
ステップＳ２４０では、制御部１１は、第１通知を表示部１３に表示させる。ステップＳ２４０は、ステップＳ１３０（図３）と同様の処理である。つまり制御部１１は、そのときオフ信号が得られている給紙カセットＣの名称を入れる等した第１通知としてのメッセージを表示部１３に表示させる。制御部１１は、ステップＳ２４０で第１通知を表示部１３に表示させたら、そのままステップＳ２８０へ進む。
【００４５】
ステップＳ２８０では、制御部１１は、前記受領した印刷ジョブに基づく印刷処理を実行する。すなわち、用紙の供給元の給紙カセットＣからの用紙の搬送を搬送部１６に開始させ、印刷ジョブに含まれている印刷データに基づく用紙への印刷を印刷部１５に実行させる。用紙の供給元の給紙カセットＣとは、印刷ジョブによる用紙の供給元に関する指示が自動選択であれば、前記ステップＳ２１０において自動選択で選択した給紙カセットＣである。あるいは、印刷ジョブによる用紙の供給元に関する指示が前記特定指示であれば、前記特定指示が特定する給紙カセットＣが、用紙の供給元となる。
【００４６】
制御部１１は、印刷ジョブに基づく印刷処理を進める過程で、供給元の給紙カセットＣの用紙が無くなった場合（供給元の給紙カセットＣに対応する用紙センサー１７からオフ信号を得た場合）は、前記上位優先ポリシーに基づき、その次に上位の給紙カセットＣを新たな用紙の供給元として、印刷処理を続ける。印刷ジョブに含まれている印刷データに基づいて最終ページの印刷を終えたところで、制御部１１は、ステップＳ２８０を終え、当該フローチャート（図４）を終了する。図４のフローチャート終了後は、制御部１１は、印刷ジョブ無し期間における表示制御処理（図３）に再び戻る。
【００４７】
ステップＳ２５０では、制御部１１は、用紙の供給元の給紙カセットＣよりも上位の給紙カセットＣに対応する用紙センサー１７による検知結果が全てオン信号であるか否か判定し、全てオン信号であれば（ステップＳ２５０において“Ｙｅｓ”）、ステップＳ２６０，Ｓ２７０をスキップしてステップＳ２８０へ進む。一方、用紙の供給元の給紙カセットＣよりも上位の給紙カセットＣに対応する用紙センサー１７による検知結果の一つ以上がオフ信号であれば、ステップＳ２５０において“Ｎｏ”の判定によりステップＳ２６０へ進む。
【００４８】
ここで、印刷ジョブを受領する前から最上位の給紙カセットＣ１に用紙が無く、そのため、制御部１１が、ステップＳ２１０において前記自動選択の上位優先ポリシーに基づいて給紙カセットＣ２を用紙の供給元として選択した場面を想定する。このような場合、ステップＳ２５０では、制御部１１は、用紙の供給元の給紙カセットＣ２よりも上位の給紙カセットＣ１に対応する用紙センサー１７１からオフ信号を得ているため、ステップＳ２６０へ進むことになる。
【００４９】
ステップＳ２６０では、制御部１１は、第２通知を表示部１３に表示させる。制御部１１は、例えば第２通知として、“Ｃｈｅｃｋ  Ｃａｓｓｅｔｔｅ  Ｘ”や“カセットを確認して下さい  Ｘ”等といったメッセージを表示部１３に表示させる。また制御部１１は、このような第２通知にかかるメッセージを表示部１３において点滅表示等させることで、ユーザーの注意を促す。これらメッセージのＸには、用紙の供給元の給紙カセットＣよりも上位のオフ信号が得られた給紙カセットＣの名称が入る。例えば、ステップＳ２５０において、用紙の供給元の給紙カセットＣ２よりも上位の給紙カセットＣ１に対応する用紙センサー１７１からオフ信号が得られた場合には“Ｃｈｅｃｋ  Ｃａｓｓｅｔｔｅ  Ｃ１”等といったメッセージをステップＳ２６０で表示させる。
【００５０】
このような第２通知を見ることで、ユーザーは、用紙の供給元よりも上位のいずれの給紙カセットＣにおいて前記異常が発生しているのかを認識し、また解除操作が求められていることを認識する。
【００５１】
第２通知の表示後は、制御部１１は、前記解除操作がなされたか否かを繰り返し判定し（ステップＳ２７０）、解除操作が為された場合に、表示部１３による第２通知の表示を消去させた上でステップＳ２８０へ進む。言い換えると、解除操作が為されるまで、印刷処理（ステップＳ２８０）が中断している。
【００５２】
第２通知を見たユーザーは、例えば、第２通知によって確認を求められた給紙カセットＣがカセット装着部１９に装着されていることを確認し、操作入力部１２を操作して、異常解除すべき旨の指示を印刷装置１０に入力することができる。当該指示は、例えば操作入力部１２に含まれる所定のＯＫボタンを押下げすることにより行う。制御部１１は、当該指示の入力を操作入力部１２を介して受け付けた場合に、解除操作有りと判定する。また、第２通知によって確認を求められた給紙カセットＣにユーザーが用紙を補給して当該給紙カセットＣをカセット装着部１９へ装着する行為も、解除操作に該当する。つまり制御部１１は、第２通知によって確認を求めた全ての給紙カセットＣに対応する各用紙センサー１７からオン信号を得た場合に、解除操作有りと判定する。制御部１１は、このようないずれかの解除操作が有った場合に、ステップＳ２７０において“Ｙｅｓ”と判定し、ステップＳ２８０へ進む。なお、ステップＳ２７０からステップ２８０へ進んで印刷処理を開始した場合、制御部１１は、印刷処理を進める過程で供給元の給紙カセットＣを変更する度に、ステップＳ２５０以下の処理を繰り返す（図４における破線の矢印参照）。
【００５３】
このように本実施形態によれば、印刷装置１０は、特定表示の設定に関し、ユーザーに第１設定、第２設定さらには第３設定のいずれかを任意に選択させる。そして、印刷装置１０は、当該選択に応じて、特定表示に関して第１設定をしたときは、用紙センサー１７によるオフ信号に応じて第１通知を表示部１３に表示させ、特定表示に関して第２設定をしたときは、前記オフ信号に応じて第２通知を表示部１３に表示させる。また、当該選択に応じて、特定表示に関して第３設定をしたときは、用紙センサー１７によるオフ信号を得ても表示部１３に第１通知も第２通知も表示させない。これにより、オフ信号に応じて表示部１３に表示される通知を、ユーザーが期待する態様にすることができる。
【００５４】
より具体的には、本実施形態は以下のような効果をユーザーに提供する。
一例として、制御部１１が最上位の給紙カセットＣ１に対応する用紙センサー１７１からオフ信号を得た場面を想定する。この場合、給紙カセットＣ１は、用紙無し状態とカセット無し状態とのいずれかである。給紙カセットＣ１が用紙無し状態であれば、給紙カセットＣ１よりも下位の給紙カセットＣ（Ｃ２，Ｃ３…）から用紙を搬送することで印刷を行うことができる。しかし、給紙カセットＣ１がカセット無し状態であると、給紙カセットＣ１よりも下位の給紙カセットＣから用紙を搬送するための搬送路が途中で断たれ、当該下位の給紙カセットＣから用紙を搬送するときに紙詰まりが発生し得る。
【００５５】
ユーザーの価値観は様々である。
例えば、紙詰まり発生の可能性があるときに何らかの通知は欲しいが、印刷処理は止めて欲しくない（万が一の紙詰まりの発生を許容する）と考えるユーザーが居る。このようなユーザーにとっては、第１通知を行うが印刷処理は止めない第１設定を選択できる環境は都合が良い。
一方、紙詰まり発生の可能性があるときに通知が欲しく、かつ、安全（紙詰まりが発生しない状況）を確認するまでは印刷処理を止めて欲しい（紙詰まりの発生を許容しない）と考えるユーザーも居る。このようなユーザーにとっては、第２通知を行って解除操作を受けて印刷を行う第２設定を選択できる環境は都合が良い。
あるいは、カセット無し状態であるか否かは印刷装置１０の外観から容易に判るため、理論上は紙詰まり発生の可能性があっても通知は不要（万が一の紙詰まりの発生を許容する）と考えるユーザーも居る。このようなユーザーにとっては、第１通知も第２通知もせずに印刷を行う第３設定を選択できる環境は都合が良い。
このように本実実施形態は、異なる価値観を有する各ユーザーにとって都合の良い印刷環境を提供できる。
【００５６】
４．実施例：
これまでに説明した内容を踏まえ、本実施形態に含まれる具体的な実施例を幾つか説明する。
実施例１：
図５は、実施例１における印刷装置１０の状態遷移と第１通知および第２通知との関係を示している。実施例１では、印刷装置１０は、受領した印刷ジョブに基づいて計３ページの印刷物を出力すると仮定する。さらに実施例１では、印刷装置１０が印刷ジョブを受領する前、給紙カセットＣ１，Ｃ２，Ｃ３毎の状態や有している用紙枚数は以下の通りであるとする。
給紙カセットＣ１：用紙有り状態（用紙数１枚）
給紙カセットＣ２：用紙無し状態
給紙カセットＣ３：用紙有り状態（用紙数３枚）
【００５７】
第１設定の場合：
このような条件下で、先ず、特定表示の設定が第１設定とされている場合について図５の「状態遷移」の欄および「第１通知」の欄を参照して説明する。
印刷ジョブ受領前は、印刷装置１０の印刷ジョブ無し期間に該当するため、図３の表示制御処理が実行される。実施例１では、給紙カセットＣ２に用紙が無いため、図３の表示制御処理の結果、表示部１３には第１通知として“Ｐａｐｅｒ  Ｏｕｔ  Ｃ２”が表示される。
【００５８】
その後、印刷装置１０は、印刷ジョブ受領をすることで印刷ジョブ有り期間に入り、図４の表示制御処理を実行する。印刷ジョブ有り期間においても、給紙カセットＣ２に用紙が無いことに変わりはない。そのため、印刷ジョブ受領、１ページ目印刷後、さらには２ページ目印刷後と処理が進んでも、第１通知として“Ｐａｐｅｒ  Ｏｕｔ  Ｃ２”が表示される。１ページ目は、用紙の供給元である給紙カセットＣ１が有する用紙に印刷される。１ページ目印刷後は、給紙カセットＣ１の次に上位の給紙カセットＣ２に用紙が無いため、印刷装置１０は、給紙カセットＣ３を新たな用紙の供給元とする。
【００５９】
２ページ目および３ページ目は、用紙の供給元である給紙カセットＣ３が有する用紙に印刷される。３ページ目印刷後は、再び印刷ジョブ無し期間に該当するため、印刷装置１０は図３の表示制御処理を実行する。３ページ目の印刷が終わった時点では、給紙カセットＣ１および給紙カセットＣ２の用紙が無い。そのため、３ページ目印刷後は、表示部１３に第１通知として“Ｐａｐｅｒ  Ｏｕｔ  Ｃ１，Ｃ２”が表示される。なお、このような第１設定の場合についての説明では、図５におけるエラー解除に対応する記載は無視する。
【００６０】
第２設定の場合：
次に、当該実施例１の条件下で、特定表示の設定が第２設定とされている場合について図５の「状態遷移」の欄、「第１通知」の欄および「第２通知」の欄を参照して説明する。
印刷ジョブ受領前は、上述したように図３の表示制御処理が実行され、第１設定の場合と同様に、表示部１３には第１通知として“Ｐａｐｅｒ  Ｏｕｔ  Ｃ２”が表示される。その後、印刷ジョブ受領があり、１ページ目の印刷を行うとき、用紙の供給元は給紙カセットＣ１である。給紙カセットＣ１より上位の給紙カセットＣは存在しない。このような、供給元の給紙カセットＣより上位の給紙カセットＣに対応してオフ信号が得られることがあり得ない状況では、ステップＳ２５０（図４）において強制的に“Ｙｅｓ”の判定がされる。従って、給紙カセットＣ１が用紙の供給元である期間が終わるまでは少なくとも、第２通知の表示は無い。
【００６１】
そして、１ページ目印刷後まで処理が進んだとき、印刷装置１０は、図４の表示制御処理の結果、表示部１３に第２通知として“Ｃｈｅｃｋ  Ｃａｓｓｅｔｔｅ  Ｃ２”を表示する。１ページ目印刷後は、上述したように給紙カセットＣ３が新たな用紙の供給元となる。給紙カセットＣ３が用紙の供給元となったことで、供給元の給紙カセットＣよりも上位の給紙カセットＣが存在するようになる。そして、供給元の給紙カセットＣ３よりも上位の給紙カセットＣ２に対応する検知結果としてオフ信号が得られることから、１ページ目印刷後は、第２通知“Ｃｈｅｃｋ  Ｃａｓｓｅｔｔｅ  Ｃ２”が表示される。
【００６２】
本実施形態では、特定表示の設定が第２設定である場合、印刷ジョブ無し期間の際に表示した第１通知を、印刷ジョブ有り期間に入っても表示し続けることを許容する。図５の例では、特定表示の設定が第２設定である場合に、１ページ目印刷後のタイミングでは、第２通知“Ｃｈｅｃｋ  Ｃａｓｓｅｔｔｅ  Ｃ２”および第１通知“Ｐａｐｅｒ  Ｏｕｔ  Ｃ２”の両方を表示することが示唆されている。これは、印刷ジョブ無し期間のときに表示した第１通知“Ｐａｐｅｒ  Ｏｕｔ  Ｃ２”がそのまま表示部１３に残っているためである。このように第１通知および第２通知を同時に表示し得る状況では、印刷装置１０は、第２通知を第１通知よりも優先して表示する。第２通知を第１通知よりも優先して表示するとは、例えば、第２通知を第１通知の上に重ねて表示したり、第２通知を表示部１３の画面において第１通知よりも目立つ位置や目立つ形態で表示したりすることを指す。また、第２通知を表示部１３に表示しつつ、表示部１３の画面をスクロールしなければ第１通知が表れないようにすることも、第２通知を第１通知よりも優先して表示する態様の一つである。
【００６３】
図５におけるエラー解除は、第２通知の表示後、解除操作が為されたことを指している（図４のステップＳ２７０において“Ｙｅｓ”）。解除操作が為されたことを条件に、印刷装置１０は、第２通知“Ｃｈｅｃｋ  Ｃａｓｓｅｔｔｅ  Ｃ２”を消去し、２ページ目以降の印刷を進める。３ページ目印刷後は、特定表示の設定が第１設定である場合と同様に、表示部１３に第１通知“Ｐａｐｅｒ  Ｏｕｔ  Ｃ１，Ｃ２”が表示される。
【００６４】
追加説明：
このような図５にかかる説明によれば、印刷ジョブに基づく印刷処理の最中に用紙が無くなる給紙カセットＣ（給紙カセットＣ１）については、当該印刷処理の開始後に、対応する用紙センサー１７１による検知結果がオン信号からオフ信号に切り替わるが、当該印刷処理が終了するまで（印刷ジョブ有り期間）は、第１通知の対象とはせず、当該印刷処理が終わってから第１通知の対象としている。つまり、図５の例では、３ページ目の印刷が終わるまでは、第１通知は“Ｐａｐｅｒ  Ｏｕｔ  Ｃ２”のままであり、３ページ目印刷後に、第１通知を“Ｐａｐｅｒ  Ｏｕｔ  Ｃ１，Ｃ２”に変える。これは、印刷処理の最中にある給紙カセットから用紙が無くなったとしても、他の（下位の）給紙カセットＣから用紙を搬送すれば印刷処理を継続することができ、当該用紙が無くなった給紙カセットＣについて第１通知を性急に行う必要性が低いからである。また、必要性の低い通知はできるだけ避けた方が、ユーザーにとって快適である。このような特徴によれば、制御部１１は、第１設定または第２設定をしたとき、印刷ジョブに基づく印刷処理の開始後に給紙カセットＣに対応する異常信号（オフ信号）が発生した場合は、当該異常信号が対応する給紙カセットＣに関する第１通知を、当該印刷ジョブに基づく印刷処理が終了した後に表示させる、と言える。
【００６５】
また、図５にかかる説明によれば、印刷ジョブに基づく印刷処理の最中に用紙が無くなる給紙カセットＣ（給紙カセットＣ１）については、用紙が無くなった時点で、対応する用紙センサー１７による検知結果がオン信号からオフ信号に切り替わるが、第２通知の対象とはしない。つまり、図５の例では、１ページ目の印刷が終わって用紙の供給元が給紙カセットＣ３に切り替わったタイミングで、供給元の給紙カセットＣ３よりも上位の給紙カセットＣ１，Ｃ２いずれについても、対応する用紙センサー１７１，１７２からオフ信号が得られているはずである。しかし、印刷ジョブ受領前からオフ信号が得られている給紙カセットＣ２についての第２通知“Ｃｈｅｃｋ  Ｃａｓｓｅｔｔｅ  Ｃ２”を表示し、印刷ジョブ受領後にオフ信号が発生した給紙カセットＣ１については第２通知の対象としていない。
【００６６】
これは、印刷処理の最中に用紙が無くなったということは、当該用紙が無くなった給紙カセットＣはカセット装着部１９に装着されており（つまり、カセット無し状態ではなく）、下位の給紙カセットＣから用紙を搬送する際に、紙詰まりの要因にならないと言えるからである。このように、オフ信号が発生したが紙詰まりの要因にならないと推定される給紙カセットＣについては、第２通知を行う必要性が無いため、第２通知の対象から除外する。このような特徴によれば、制御部１１は、第２設定をしたとき、印刷ジョブに基づく印刷処理の開始後に給紙カセットＣに対応する異常信号（オフ信号）が発生した場合は、当該異常信号が対応する給紙カセットＣに関しては第２通知の対象から除外する、と言える。
【００６７】
さらに図５にかかる説明によれば、制御部１１は、用紙の供給元の給紙カセットＣよりも上位の給紙カセットＣに対応する用紙センサー１７によるオフ信号を得た場合に、印刷ジョブに基づく印刷処理の進捗状況に基づいて当該印刷処理を中断するか否かを分岐する（制御部１１は分岐工程を実施する）と言える。上述したように、図５の例によれば、１ページ目印刷後は、給紙カセットＣ３が新たな用紙の供給元になることで、供給元の給紙カセットＣよりも上位の給紙カセットＣが存在するようになる。そして、供給元の給紙カセットＣ３よりも上位の給紙カセットＣ２に対応する検知結果としてオフ信号が得られることから、１ページ目印刷後のタイミングで、第２通知“Ｃｈｅｃｋ  Ｃａｓｓｅｔｔｅ  Ｃ２”を表示し、かつ印刷処理を中断する（解除操作が為されるまで、２ページ目以降の印刷を中断する）。ここで、２ページ目印刷後も、給紙カセットＣ３が用紙の供給元であることは変わらず、引き続き供給元の給紙カセットＣ３よりも上位の給紙カセットＣ２に対応するオフ信号が得られている。しかし制御部１１は、２ページ目印刷後は、第２通知“Ｃｈｅｃｋ  Ｃａｓｓｅｔｔｅ  Ｃ２”を表示部１３に表示させない。つまり、２ページ目印刷後は印刷処理は中断せずに、そのまま３ページ目の印刷を行う。このように本実施形態は、印刷処理の進捗状況に基づいて印刷処理を中断するか否かを分岐する印刷方法を提示する。
【００６８】
上述の進捗状況について、さらに具体的な説明をする。図５の例において、１ページ目印刷後のタイミングでは、用紙の供給元となった給紙カセットＣ３より上位のオフ信号が得られた給紙カセットＣ２の搬送路３１を、用紙が一枚も通過していない。そのため、当該給紙カセットＣ２が用紙無し状態であるのかカセット無し状態であるのかが不明である。このような状況で印刷処理を続けるにはリスクがある（紙詰まりの危険性がある）ため、印刷処理を一旦中断し、第２通知によりユーザーに解除操作を促す。一方、２ページ目印刷後のタイミングでは、用紙の供給元である給紙カセットＣ３より上位のオフ信号が得られている給紙カセットＣ２（およびＣ１）の搬送路３１を、用紙が通過済みである。そのため、当該給紙カセットＣ２（およびＣ１）は用紙無し状態であるがカセット無し状態ではないと言える。このような状況では、紙詰まりの危険性が無いため印刷処理を中断しない。
【００６９】
このような特徴によれば、制御部１１は、用紙の供給元の給紙カセットＣよりも上位の給紙カセットＣに対応するオフ信号を得た場合に、印刷ジョブに基づいて当該オフ信号が対応する給紙カセットＣの搬送路３１を用紙が一枚以上通過していれば印刷ジョブに基づく印刷処理を続行し、印刷ジョブに基づいて当該オフ信号が対応する給紙カセットＣの搬送路３１を用紙が一枚も通過していなければ印刷ジョブに基づく印刷処理を中断する、と言える。これにより、紙詰まりの危険性が無いにもかかわらず印刷処理を無駄に中断してユーザーを待たせたり、逆に、紙詰まりの危険性が有るため印刷処理を中断すべきなのに中断せず紙詰まりを発生させてしまう、といったことが無くなる。
【００７０】
また、このような特徴を他の側面から見れば、印刷ジョブの受領後の第２通知の表示に応じて所定操作（解除操作）が実行された後は、制御部１１は、当該印刷ジョブに基づく印刷処理が終了するまでの間の当該第２通知の再度の表示を禁止する、と言える。つまり、図５に例示した第２通知“Ｃｈｅｃｋ  Ｃａｓｓｅｔｔｅ  Ｃ２”の表示は、一度、解除操作に応じて消去された後は、同じ印刷ジョブに基づく印刷処理が終わるまでの期間、再び表示されることはない。
【００７１】
さらに当該実施例１において、給紙カセットＣ３の一つ下位に第４給紙カセットが存在し、第４給紙カセットの一つ下位に第５給紙カセットが存在すると仮定する。第４給紙カセットは、用紙無し状態であり、第５給紙カセットは、用紙有り状態で用紙を１枚有しているとする。そして印刷装置１０は、受領した印刷ジョブに基づいて計５ページの印刷物を出力するとする。このような条件下で、特定表示の設定が第２設定である場合、４ページ目の印刷が終わったタイミングで、給紙カセットＣ３の用紙が無くなるため、上位優先ポリシーに基づいて第５給紙カセットが新たな用紙の供給元となる。当該４ページ目の印刷が終わったタイミングで、制御部１１は、第４給紙カセットに対応するオフ信号に応じて、第２通知を表示部１３に表示させる。このとき表示される第２通知は、第４給紙カセットに関して確認を求める（解除操作を要求する）旨のメッセージを当然有しているが、既に同じ印刷ジョブの経過の中で表示した給紙カセットＣ２に関するメッセージは含まない。
【００７２】
さらに、これまでの説明から明らかであるが、制御部１１は、用紙の供給元の給紙カセットＣよりも下位の給紙カセットＣに対応するオフ信号を得た場合には、印刷ジョブに基づく印刷処理を継続する。図５の例によれば、制御部１１は、受領した印刷ジョブに基づく１ページ目の印刷を実行する前から、用紙の供給元の給紙カセットＣ１より下位の給紙カセットＣ２に対応するオフ信号を得ている。制御部１１は、このような下位の給紙カセットＣ２に関わるオフ信号の有無にかかわらず印刷処理を継続する（１ページ目の印刷前に印刷処理を中断しない）。当該特徴によれば、紙詰まりが発生する虞が無い間は印刷処理を中断せずに継続することができる。
【００７３】
実施例２：
図６は、実施例２における印刷装置１０の状態遷移と第１通知および第２通知との関係を示している。実施例２では、印刷装置１０は、受領した印刷ジョブに基づいて計３ページの印刷物を出力すると仮定する。さらに実施例２では、印刷装置１０が印刷ジョブを受領する前、給紙カセットＣ１，Ｃ２，Ｃ３毎の状態や有している用紙枚数は以下の通りであるとする。
給紙カセットＣ１：用紙有り状態（用紙数１枚）
給紙カセットＣ２：用紙有り状態（用紙数１枚）
給紙カセットＣ３：用紙有り状態（用紙数２枚）
【００７４】
第１設定の場合：
このような条件下で、特定表示の設定が第１設定とされている場合について図６の「状態遷移」の欄および「第１通知」の欄を参照して説明する。ただし、実施例１（図５）と同様の事項については説明を適宜省く。
印刷ジョブ受領前は、印刷装置１０の印刷ジョブ無し期間に該当するため、図３の表示制御処理が実行される。実施例２では、全ての給紙カセットＣに用紙が有るため、図３の表示制御処理の結果、表示部１３に第１通知は表示されない。
【００７５】
その後、印刷装置１０は、印刷ジョブ受領をすることで印刷ジョブ有り期間に入り、図４の表示制御処理を実行する。印刷ジョブ有り期間に入り、印刷ジョブ受領、１ページ目印刷後、２ページ目印刷後と処理が進んでも、第１通知は表示されない。これは、順次、用紙の供給元となる給紙カセットＣ１，Ｃ２はいずれも、印刷ジョブに基づく印刷処理の最中に用紙が無くなる給紙カセットＣに該当し、このような給紙カセットＣは、上述したように印刷処理が終了するまでは第１通知の対象としないからである。３ページ目印刷後は、再び印刷ジョブ無し期間に該当するため、印刷装置１０は図３の表示制御処理を実行する。３ページ目の印刷が終わった時点では、給紙カセットＣ１および給紙カセットＣ２の用紙が無くなっている。そのため、３ページ目印刷後は、表示部１３に第１通知として“Ｐａｐｅｒ  Ｏｕｔ  Ｃ１，Ｃ２”が表示される。
【００７６】
第２設定の場合：
次に、当該実施例２の条件下で、特定表示の設定が第２設定とされている場合について図６の「状態遷移」の欄、「第１通知」の欄および「第２通知」の欄を参照して説明する。
印刷ジョブ受領前は、上述したように図３の表示制御処理が実行され、第１設定の場合と同様に、表示部１３には第１通知は表示されない。その後、印刷装置１０は、印刷ジョブ受領をすることで印刷ジョブ有り期間に入り、図４の表示制御処理を実行する。印刷ジョブ有り期間に入り、印刷ジョブ受領、１ページ目印刷後、２ページ目印刷後と処理が進んでも、第２通知は表示されない。これは、順次、用紙の供給元となる給紙カセットＣ１，Ｃ２はいずれも、印刷ジョブに基づく印刷処理の最中に用紙が無くなる給紙カセットＣに該当し、このような給紙カセットＣは、上述したように第２通知の対象から除外されるからである。３ページ目印刷後は、特定表示の設定が第１設定である場合と同様に、表示部１３に第１通知“Ｐａｐｅｒ  Ｏｕｔ  Ｃ１，Ｃ２”が表示される。
【００７７】
実施例３：
図７は、実施例３における印刷装置１０の状態遷移と第１通知および第２通知との関係を示している。実施例３では、印刷装置１０は、１つ目の印刷ジョブに基づいて１ページの印刷物を出力し、次に、２つ目の印刷ジョブに基づいて１ページの印刷物を出力し、次に、３つ目の印刷ジョブに基づいて１ページの印刷物を出力すると仮定する。さらに実施例３では、印刷装置１０が印刷ジョブを受領する前、給紙カセットＣ１，Ｃ２，Ｃ３毎の状態や有している用紙枚数は以下の通りであるとする。
給紙カセットＣ１：用紙有り状態（用紙数１枚）
給紙カセットＣ２：用紙有り状態（用紙数１枚）
給紙カセットＣ３：用紙有り状態（用紙数２枚）
【００７８】
第１設定の場合：
このような条件下で、特定表示の設定が第１設定とされている場合について図７の「状態遷移」の欄および「第１通知」の欄を参照して説明する。ただし、実施例１，２（図５，６）と同様の事項については説明を適宜省く。
印刷ジョブ受領前は、印刷装置１０の印刷ジョブ無し期間に該当するため、図３の表示制御処理が実行される。実施例３では、全ての給紙カセットＣに用紙が有るため、図３の表示制御処理の結果、表示部１３に第１通知は表示されない。
【００７９】
その後、印刷装置１０は、１つ目の印刷ジョブ受領をすることで印刷ジョブ有り期間に入り、図４の表示制御処理を実行する。給紙カセットＣ１が有する用紙への印刷後、つまり１つ目の印刷ジョブに基づく印刷処理終了後、再び印刷ジョブ無し期間に該当するため、印刷装置１０は図３の表示制御処理を実行する。１つ目の印刷ジョブに基づく印刷処理が終わった時点では、給紙カセットＣ１の用紙が無くなっているため、表示部１３に第１通知として“Ｐａｐｅｒ  Ｏｕｔ  Ｃ１”が表示される。
その後、印刷装置１０は、２つ目の印刷ジョブ受領をすることで印刷ジョブ有り期間に入り、図４の表示制御処理を実行する。給紙カセットＣ２が有する用紙への印刷後、つまり２つ目の印刷ジョブに基づく印刷処理終了後、再び印刷ジョブ無し期間に該当するため、印刷装置１０は図３の表示制御処理を実行する。２つ目の印刷ジョブに基づく印刷処理が終わった時点では、給紙カセットＣ１および給紙カセットＣ２の用紙が無くなっているため、表示部１３に第１通知として“Ｐａｐｅｒ  Ｏｕｔ  Ｃ１，Ｃ２”が表示される。
【００８０】
その後、印刷装置１０は、３つ目の印刷ジョブ受領をすることで印刷ジョブ有り期間に入り、図４の表示制御処理を実行する。給紙カセットＣ３が有する用紙への印刷後、つまり３つ目の印刷ジョブに基づく印刷処理終了後、再び印刷ジョブ無し期間に該当するため、印刷装置１０は図３の表示制御処理を実行する。３つ目の印刷ジョブに基づく印刷処理が終わった時点では、給紙カセットＣ１および給紙カセットＣ２の用紙が無くなっているため、表示部１３に第１通知として“Ｐａｐｅｒ  Ｏｕｔ  Ｃ１，Ｃ２”が引き続き表示される。なお、このような第１設定の場合についての説明では、図７におけるエラー解除に対応する記載は無視する。
【００８１】
第２設定の場合：
次に、当該実施例３の条件下で、特定表示の設定が第２設定とされている場合について図７の「状態遷移」の欄、「第１通知」の欄および「第２通知」の欄を参照して説明する。
印刷ジョブ受領前は、上述したように図３の表示制御処理が実行され、第１設定の場合と同様に、表示部１３には第１通知は表示されない。その後、印刷装置１０は、１つ目の印刷ジョブ受領をすることで印刷ジョブ有り期間に入り、図４の表示制御処理を実行する。給紙カセットＣ１が有する用紙への印刷後、つまり１つ目の印刷ジョブに基づく印刷処理終了後、再び印刷ジョブ無し期間に該当するため、印刷装置１０は図３の表示制御処理を実行する。１つ目の印刷ジョブに基づく印刷処理が終わった時点では、給紙カセットＣ１の用紙が無くなっているため、表示部１３に第１通知として“Ｐａｐｅｒ  Ｏｕｔ  Ｃ１”が表示される。
【００８２】
その後、印刷装置１０は、２つ目の印刷ジョブ受領をすることで印刷ジョブ有り期間に入り、図４の表示制御処理を実行する。２つ目の印刷ジョブを受領すると、給紙カセットＣ２が用紙の供給元となるが、この時点で給紙カセットＣ２より上位の給紙カセットＣ１に対応するオフ信号が得られている。そのため、制御部１１は、２つ目の印刷ジョブを受領したら、表示部１３に第２通知として“Ｃｈｅｃｋ  Ｃａｓｓｅｔｔｅ  Ｃ１”を表示させる。その後、エラー解除、つまり解除操作が為されたことを条件に、印刷装置１０は、第２通知“Ｃｈｅｃｋ  Ｃａｓｓｅｔｔｅ  Ｃ１”を消去し、２つ目の印刷ジョブに基づく印刷処理を行う。２つ目の印刷ジョブに基づく印刷処理終了後、再び印刷ジョブ無し期間に該当するため、印刷装置１０は図３の表示制御処理を実行する。２つ目の印刷ジョブに基づく印刷処理が終わった時点では、給紙カセットＣ１および給紙カセットＣ２の用紙が無くなっているため、表示部１３に第１通知として“Ｐａｐｅｒ  Ｏｕｔ  Ｃ１，Ｃ２”が表示される。
【００８３】
その後、印刷装置１０は、３つ目の印刷ジョブ受領をすることで印刷ジョブ有り期間に入り、図４の表示制御処理を実行する。３つ目の印刷ジョブを受領すると、給紙カセットＣ３が用紙の供給元となるが、この時点で給紙カセットＣ３より上位の給紙カセットＣ１，Ｃ２それぞれに対応するオフ信号が得られている。そのため、制御部１１は、３つ目の印刷ジョブを受領したら、表示部１３に第２通知として“Ｃｈｅｃｋ  Ｃａｓｓｅｔｔｅ  Ｃ１，Ｃ２”を表示させる。その後、エラー解除、つまり解除操作が為されたことを条件に、印刷装置１０は、第２通知“Ｃｈｅｃｋ  Ｃａｓｓｅｔｔｅ  Ｃ１，Ｃ２”を消去し、３つ目の印刷ジョブに基づく印刷処理を行う。３つ目の印刷ジョブに基づく印刷処理終了後、再び印刷ジョブ無し期間に該当するため、印刷装置１０は図３の表示制御処理を実行する。３つ目の印刷ジョブに基づく印刷処理が終わった時点では、給紙カセットＣ１および給紙カセットＣ２の用紙が無くなっているため、表示部１３に第１通知として“Ｐａｐｅｒ  Ｏｕｔ  Ｃ１，Ｃ２”が引き続き表示される。
【００８４】
５．変形例：
本発明は上述の実施形態や実施例に限られるものではなく、その要旨を逸脱しない範囲において種々の態様において実施することが可能である。本実施形態は、後述するような変形例を採用可能である。これまで説明した実施形態、実施例、および下記の変形例との各組み合わせは、本発明の開示範囲に含まれる。
【００８５】
変形例１：
制御部１１は、印刷ジョブに基づく印刷の開始後に全ての給紙カセットＣに対応してオフ信号が発生した場合は、第３通知を表示部１３に表示させるとしてもよい。印刷ジョブに基づく印刷の開始後に全ての給紙カセットＣに対応してオフ信号が発生した場合とは、印刷ジョブに基づく印刷処理の開始後に、全ての給紙カセットＣが用紙が無い状態となった場合を指す。
【００８６】
上述の実施例１において、印刷ジョブの受領前、給紙カセットＣ３は用紙数を３枚ではなく２枚有していたと仮定する。この場合、印刷ジョブに基づく３ページ目の印刷後、給紙カセットＣ１，Ｃ２，Ｃ３の全てに用紙が無い状態となる。そこで制御部１１は、３ページ目の印刷後、第３通知として“Ｐａｐｅｒ  Ｏｕｔ”等といったメッセージを表示部１３に表示させる。第３通知“Ｐａｐｅｒ  Ｏｕｔ”は、第１通知よりも優先して表示する。優先して表示する方法は上述した通りである。
【００８７】
また上述の実施例２において、印刷ジョブの受領前、給紙カセットＣ３は用紙数を２枚ではなく１枚有していたと仮定する。この場合、印刷ジョブに基づく３ページ目の印刷後、給紙カセットＣ１，Ｃ２，Ｃ３の全てに用紙が無い状態となる。そこで制御部１１は、３ページ目の印刷後、第３通知として“Ｐａｐｅｒ  Ｏｕｔ”等といったメッセージを表示部１３に表示させる。第３通知“Ｐａｐｅｒ  Ｏｕｔ”は、第１通知よりも優先して表示する。
【００８８】
また上述の実施例３において、１つ目の印刷ジョブの受領前、給紙カセットＣ３は用紙数を２枚ではなく１枚有していたと仮定する。この場合、３つ目の印刷ジョブに基づく印刷後、給紙カセットＣ１，Ｃ２，Ｃ３の全てに用紙が無い状態となる。そこで制御部１１は、３つ目の印刷ジョブに基づく印刷後、第３通知として“Ｐａｐｅｒ  Ｏｕｔ”等といったメッセージを表示部１３に表示させる。第３通知“Ｐａｐｅｒ  Ｏｕｔ”は、第１通知よりも優先して表示する。
このような変形例１によれば、全ての給紙カセットＣの用紙が無い状態になった場合、第１通知および第２通知のいずれとも異なる第３通知を表示することができる。
【００８９】
変形例２：
前記実施例３では、印刷装置１０は、複数の印刷ジョブを順次受領して処理しているため、新しい印刷ジョブを受領する度に、その時点での各給紙カセットＣの状態に応じて第２通知を表示している。しかし、異なる複数の印刷ジョブを処理する場合であっても、前回の印刷ジョブを処理し終わってから短い時間で次の印刷ジョブを処理するのであれば、同じ印刷ジョブに基づいて複数ページの印刷をする場合（実施例２の場合）と同様の考えで、第２通知の表示を制御してもよいと言える。そこで制御部１１は、特定表示の設定として第２設定をしたとき、印刷ジョブを受領した場合に、印刷部１５が動作可能な状態であるか否か判断し、印刷部１５が動作可能な状態であれば、当該受領した印刷ジョブに基づく印刷が終了するまでの間の第２通知の表示を禁止するとしてもよい。
【００９０】
前記実施例３のように、制御部１１は、２つ目の印刷ジョブを受領したとする。このとき制御部１１は、印刷部１５が動作可能な状態であるか否か判断する。当該判断は、例えば、制御部１１が、印刷部１５に問い合わせることで実行する。印刷部１５には、ドラムユニット等のプリンターエンジンと、プリンターエンジンの駆動をコントロールするエンジンコントローラーとが含まれている。プリンターエンジンは、印刷ジョブに基づく印刷処理を終えて暫くの間は所定のアイドリング状態を維持し、次の印刷ジョブが来た時に即座に印刷処理を開始できるようにしている。このようなアイドリング状態は短い時間であるが、制御部１１は、エンジンコントローラーに問い合わせることにより、アイドリング状態であるか否かを認識し、アイドリング状態であれば印刷部１５が動作可能な状態と判断する。
【００９１】
つまり、１つ目の印刷ジョブを処理した後、印刷部１５が動作可能な状態のうちに次の２つ目の印刷ジョブを受領したのであれば、１つ目の印刷ジョブと２つ目の印刷ジョブとの間の印刷ジョブ無し期間は非常に短いと言える。このように印刷ジョブ無し期間が短い場合は、これから実行する印刷ジョブにおいて用紙の供給元とする給紙カセットＣ（給紙カセットＣ２）より上位の給紙カセットＣ（給紙カセットＣ１）は、カセット無し状態ではないと考えて差し支えない。そこで、制御部１１は、２つ目の印刷ジョブを受領したとき、上述のように印刷部１５が動作可能な状態であると判断した場合は、図７に示したような第２通知“Ｃｈｅｃｋ  Ｃａｓｓｅｔｔｅ  Ｃ１”を表示部１３に表示させない。このような変形例２によれば、紙詰まりが発生する可能性はほぼ無い場合に、必要性の無い第２通知を行わないようにし、ユーザーの手間を減らすことができる。
【００９２】
変形例３：
これまでは、制御部１１は、上位優先ポリシーに基づき用紙の供給元の給紙カセットＣを選択すると説明した。上位優先ポリシーによれば、印刷部１５に近い側の給紙カセットＣが優先的に供給元となるため、印刷に要する時間が短縮され易いというメリットがある。しかし、制御部１１は、下位の給紙カセットＣを優先して用紙の供給元とする下位優先ポリシーに基づき、用紙の供給元の給紙カセットＣを選択するとしてもよい。下位優先ポリシーに基づいたとき、図２の構成例によれば給紙ユニットＣ３，Ｃ２，Ｃ１の順で用紙の供給元が選択される。
【００９３】
ここで、下位優先ポリシーおよび前記実施例１の条件下で、特定表示の設定が第２設定とされている場合についての表示制御処理について説明する。印刷ジョブ受領前は、上述したように図３の表示制御処理が実行され、表示部１３には第１通知として“Ｐａｐｅｒ  Ｏｕｔ  Ｃ２”が表示される。その後、印刷ジョブ受領があり、用紙の供給元は給紙カセットＣ３となる。給紙カセットＣ３より上位の給紙カセットＣは給紙カセットＣ１，Ｃ２であり、このうち給紙カセットＣ２に対応する検知結果としてオフ信号が得られる。そのため、印刷ジョブ受領をし、１ページ目を印刷する前のタイミングで、制御部１１は、第２通知“Ｃｈｅｃｋ  Ｃａｓｓｅｔｔｅ  Ｃ２”を表示部１３に表示させる。この第２通知の表示に応じて解除操作が為された後は、印刷ジョブに基づいて１ページ目から３ページ目までの印刷が実行される。また、当該解除操作が為された後は、当該印刷ジョブに基づく印刷処理が終了するまで、第２通知が表示されることは無い。
このように下位優先ポリシーを採用することで、印刷部１５から遠い側の給紙カセットＣが優先的に供給元となる。そのため、印刷ジョブを受領してから比較的早い段階で、紙詰まりが発生しないことが確認され、その後は当該印刷ジョブが終わるまでこのような確認の必要が無くなる。
【００９４】
変形例４：
これまで説明したような印刷方法、表示制御方法を実施する場合であっても、印刷装置１０において紙詰まりは発生し得る。紙詰まりは、搬送路３１の過程の他、本体筐体１８内の搬送路１６Ｒの過程でも起こり得る。知られているように、紙詰まりが起きた場合、印刷装置１０は、メッセージの表示や音声出力等によりユーザーに紙詰まりが起きた旨を報知する。紙詰まりが起きたことを認識したユーザーは、給紙カセットＣを引き出したり、本体筐体１８の所定部位を開けたりして、詰まった用紙を取り出す。このようなユーザーによる一連の行為を、紙詰まりリカバリーと呼ぶ。紙詰まりリカバリーにより、紙詰まりが解消される。
【００９５】
このように紙詰まりが解消された後、紙詰まりが起きる前の状況を前提として印刷処理を再開すると、再び紙詰まりが起きる可能性がある。このような状況に鑑み、制御部１１は、印刷ジョブに基づく印刷処理の過程で発生した紙詰まりが解消された後は、用紙の供給元の給紙カセットＣよりも上位の給紙カセットＣに対応するオフ信号を得た場合に、前記紙詰まりが解消された後の印刷処理の進捗状況に基づいて当該印刷処理を中断するか否かを分岐するとしてもよい。
【００９６】
前記実施例１（上位優先ポリシーを採用する場合の実施例１）を用いて、変形例４を具体に説明する。特定表示の設定は第２設定であるとする。受領した印刷ジョブに基づいて１ページ目の印刷が終わったとき、上述したように、表示部１３には第２通知として“Ｃｈｅｃｋ  Ｃａｓｓｅｔｔｅ  Ｃ２”が表示される（図５参照）。当該第２通知の表示に応じて解除操作が為され（当該第２通知が消え）、中断していた給紙カセットＣ３を用紙の供給元とする２ページ目の印刷が開始される。このとき、当該２ページ目の印刷のために給紙カセットＣ３から搬送された用紙が、例えば搬送路１６Ｒで紙詰まりを起こし、当該紙詰まりに対して紙詰まりリカバリーが実行されたとする。
【００９７】
制御部１１は、搬送部１６等の状態から紙詰まりリカバリーが実行されたことを認識した後、再び、前記２ページ目の印刷のために給紙カセットＣ３から用紙を搬送させることになる。当該変形例４では、このようなタイミングで、これまでの前提をリセットする。これまでの前提とは、用紙の供給元である給紙カセットＣ３より上位のオフ信号が得られる給紙カセットＣの搬送路３１を、用紙が通過済みという前提である。このような前提をリセットすることで、制御部１１は、用紙の供給元である給紙カセットＣ３より上位のオフ信号が得られる給紙カセットＣの搬送路３１を用紙が一枚も通過していないと認識する。そこで、制御部１１は、前記２ページ目の印刷のために給紙カセットＣ３からの用紙搬送を再び開始する前に、表示部１３に“Ｃｈｅｃｋ  Ｃａｓｓｅｔｔｅ  Ｃ２”等といった第２通知を表示させる。
【００９８】
このような再度の第２通知の表示に応じて解除操作が為され、中断していた給紙カセットＣ３を用紙の供給元とする２ページ目の印刷が再度開始される。この後、当該再度開始した２ページ目の印刷を終えたタイミングでは、制御部１１は、用紙の供給元である給紙カセットＣ３より上位のオフ信号が得られている給紙カセットＣの搬送路３１を用紙が通過済みであるため、印刷処理を中断しない。このような変形例４によれば、発生した紙詰まりが解消された後、印刷処理の再開後に再び紙詰まりが発生するといった事態を避けることができる。
【００９９】
変形例５：
これまで第１通知や第２通知として説明したメッセージはあくまで例示に過ぎず、これら通知として様々な文面や画像を用いることができる。例えば、異常解除のための所定操作を要求する第２通知は、これまでに挙げたメッセージよりも具体的であってもよい。例えば、制御部１１は第２通知として“カセットＸに異常が発生したので印刷を中断しました。異常解除の操作をして、印刷を再開して下さい”等といった、より分かりやすいメッセージを表示部１３に表示してもよい。
【符号の説明】
【０１００】
１０…印刷装置、１１…制御部、１２…操作入力部、１３…表示部、１５…印刷部、１６…搬送部、１６Ｒ…搬送路、１７，１７１，１７２，１７３…用紙センサー、１８…本体筐体、１９…カセット装着部、２０，２１，２２，２３…給紙ユニット、３１…搬送路、Ｃ，Ｃ１，Ｃ２，Ｃ３…給紙カセット、Ｐ…用紙
【図１】
0006728694.tif 000002
【図２】
0006728694.tif 000003
【図３】
0006728694.tif 000004
【図４】
0006728694.tif 000005
【図５】
0006728694.tif 000006
【図６】
0006728694.tif 000007
【図７】
0006728694.tif 000008